(57)【要約】【課題】防犯装置に使用できる煙幕発生器。【解決手段】ハウジング11は、互いに分離された第１煙幕源発生室20と第２煙幕源発生室30を有している。第１点火器22により第１煙幕源発生剤組成物25を着火燃焼させて生じさせた第１煙幕源を煙幕源排出口16から排出させ、煙幕を発生させる。第２点火器33により第２煙幕源発生剤組成物34を着火燃焼させて生じさせた第２煙幕源を煙幕源排出口16から排出させ、さらに煙幕を発生させる。【選択図】図１
2015232864.tif 000002
【特許請求の範囲】
【請求項１】
煙幕源排出口を有するハウジング内において、互いに分離された第１煙幕源発生室と第２煙幕源発生室を有しており、
前記第１煙幕源発生室が、第１点火器と第１煙幕源発生剤組成物を有しており、
前記第２煙幕源発生室が、第２点火器と第２煙幕源発生剤組成物を有しており、
前記第１点火器の作動により第１煙幕源発生剤組成物を着火燃焼させて、前記第１煙幕源発生室内に第１煙幕源を発生させた後、煙幕源排出口から排出させることができ、
前記第２点火器の作動により第２煙幕源発生剤組成物を着火燃焼させて、前記第２煙幕源発生室内に第２煙幕源を発生させた後、煙幕源排出口から排出させることができるものである、煙幕発生器。
【請求項２】
前記ハウジングが、天板部および底板部と、前記天板部と前記底板部の間の周壁部を有しているものであり、
前記ハウジング内にカップ部材が配置されており、
前記カップ部材が、閉塞面側が前記天板部側に位置し、開口部が前記底板部に固定されており、
前記カップ部材の外側が前記第１煙幕源発生室、前記カップ部材の内側が前記第２煙幕源発生室であり、
前記天板部側の周壁部が煙幕源排出口を有している、請求項１記載の煙幕発生器。
【請求項３】
前記ハウジングが、天板部および底板部と、前記天板部と前記底板部の間の周壁部を有しているものであり、
前記ハウジング内にカップ部材が配置されており、
前記カップ部材が、閉塞面が前記天板部側に位置し、開口部が前記底板部に固定されており、
前記カップ部材の外側が前記第１煙幕源発生室、前記カップ部材の内側が前記第２煙幕源発生室であり、
前記カップ部材の内側および外側の少なくとも一方が断熱材で覆われており、
前記天板部側の周壁部が煙幕源排出口を有している、請求項１記載の煙幕発生器。
【請求項４】
前記ハウジングが、天板部および底板部と、前記天板部と前記底板部の間の周壁部を有しているものであり、
前記ハウジング内に筒部材が配置されており、
前記筒部材が、第１開口部が前記天板部に固定され、第２開口部が前記底板部に固定されており、
前記筒部材の外側が前記第１煙幕源発生室、前記カップ部材の内側が前記第２煙幕源発生室であり、
前記天板部側の周壁部と前記筒部材内の天板部の一方または両方に煙幕源排出口を有している、請求項１記載の煙幕発生器。
【請求項５】
前記ハウジングが、天板部および底板部と、前記天板部と前記底板部の間の周壁部を有しているものであり、
前記ハウジング内に筒部材が配置されており、
前記筒部材が、第１開口部が前記天板部に固定され、第２開口部が前記底板部に固定されており、
前記筒部材の外側が前記第１煙幕源発生室、前記カップ部材の内側が前記第２煙幕源発生室であり、
前記筒部材の内側および外側の少なくとも一方が断熱材で覆われており、
前記天板部側の周壁部と前記筒部材内の天板部の一方または両方に煙幕源排出口を有している、請求項１記載の煙幕発生器。
【請求項６】
前記煙幕源排出口が、前記天板部側の周壁部に第１煙幕源排出口が形成され、前記筒部材内の天板部に第２煙幕源排出口が形成されている、請求項４または５記載の煙幕発生器。
【請求項７】
前記第１煙幕源発生剤組成物と前記第２煙幕源発生剤組成物が、燃料と酸化剤を含むものであり、燃焼によりアルカリ金属の塩化物、酸化物または炭酸塩を生じさせるものである、請求項１〜６のいずれか１項記載の煙幕発生器。
【請求項８】
前記第１煙幕源発生剤組成物と前記第２煙幕源発生剤組成物が、さらに発煙剤を含んでいる、請求項７記載の煙幕発生器。
【請求項９】
請求項１〜８のいずれか１項に記載の煙幕発生器の使用方法であって、
前記煙幕発生器が屋内の天井、壁またはそれらに固定された部材に取り付けられており、
前記第１点火器を作動させ、前記第１煙幕源発生室内にて第１煙幕源発生剤組成物を着火燃焼させることで威嚇音となる１回目の燃焼音と第１煙幕源を発生させると共に、前記第１煙幕源を前記煙幕源排出口から排出して屋内空間に煙幕を発生させた後、
前記第１点火器の作動から１〜１０秒の時間差をおいて前記第２点火器を作動させ、前記第２煙幕源発生室にて第２煙幕源発生剤組成物を着火燃焼させることで威嚇音となる２回目の燃焼音と第２煙幕源を発生させると共に、前記第２煙幕源を前記煙幕源排出口から排出してさらに屋内空間に煙幕を発生させる、煙幕発生器の使用方法。
【発明の詳細な説明】
【技術分野】
【０００１】
本発明は、防犯装置に使用できる煙幕発生器とその使用方法に関する。
【背景技術】
【０００２】
店舗や部屋などに不法侵入してきた侵入者に対して、逃走経路を視覚的に遮断して精神的に混乱を生じさせ、捕捉までの時間を確保する目的で、部屋の天井や壁などに発煙器を取り付ける場合がある。
【０００３】
特許文献１には防犯用煙幕装置の考案が記載されているが、高圧ガスが充填されたガスタンクを必須とするものであり、ガスとしては二酸化炭素が例示されている。
【０００４】
特許文献２には、点火装置と発煙剤などを備えた煙幕生成装置が記載されている。発煙剤としては、酸化亜鉛、過塩素酸アンモニウム、塩化ビニル、炭酸カルシウムからなる組成物を錠剤状に成形したものが記載されている（段落番号００２０）。
塩化ビニルは塩化ビニル樹脂と考えられるが、塩化ビニル樹脂は燃焼により有害な塩素ガスを発生することが考えられるため、安全性の点で問題がある。
【先行技術文献】
【特許文献】
【０００５】
【特許文献１】実用新案登録第２５００５９１号公報
【特許文献２】特許第３８１６８６７号公報
【発明の概要】
【発明が解決しようとする課題】
【０００６】
本発明は、２回に分けて威嚇音と煙幕を発生させることができる、防犯装置用として適した煙幕発生器とその使用方法を提供することを課題とする。
【課題を解決するための手段】
【０００７】
本願発明は、課題の解決手段として、
煙幕源排出口を有するハウジング内において、互いに分離された第１煙幕源発生室と第２煙幕源発生室を有しており、
前記第１煙幕源発生室が、第１点火器と第１煙幕源発生剤組成物を有しており、
前記第２煙幕源発生室が、第２点火器と第２煙幕源発生剤組成物を有しており、
前記第１点火器の作動により第１煙幕源発生剤組成物を着火燃焼させて、前記第１煙幕源発生室内に第１煙幕源を発生させた後、煙幕源排出口から排出させることができ、
前記第２点火器の作動により第２煙幕源発生剤組成物を着火燃焼させて、前記第２煙幕源発生室内に第２煙幕源を発生させた後、煙幕源排出口から排出させることができるものである、煙幕発生器と、その使用方法を提供する。
【０００８】
本発明の煙幕発生器は、屋内に取り付けて防犯装置として使用することができる。防犯装置として使用するときは、例えば、屋内への不法侵入者を検知できるセンサー、制御装置および電源などと組み合わせて使用することができるほか、遠隔操作システムなどと組み合わせて使用することもできる。
【０００９】
本発明の煙幕発生器は、第１点火器と第１煙幕源発生剤組成物を有する第１煙幕源発生室と、第２点火器と第２煙幕源発生剤組成物を有する第２煙幕源発生室を備えている。
第１点火器と第２点火器は、それぞれが独立して作動することができるものであり、公知のエアバッグ装置用のガス発生器で使用しているものと同じ電気式点火器を使用することができる。
また、必要に応じて、第１点火器と第２点火器と共に、公知のエアバッグ装置用のガス発生器で点火器と併用している伝火薬を使用することもできる。
【００１０】
作動させるときは、先に第１点火器を作動させ、遅れて第２点火器を作動させる。
第１点火器が作動して第１煙幕源発生剤組成物を着火燃焼させることで、威嚇音となる１回目の燃焼音を発生させると共に、第１煙幕源発生室内に第１煙幕源を発生させる。
第１煙幕源は、煙幕源排出口から室内に排出する。第１煙幕源はガス状であり、煙幕源排出口から室内に排出されて冷却されることで煙幕を生じる。
第２点火器が作動して第２煙幕源発生剤組成物を着火燃焼させることで、威嚇音となる２回目の燃焼音を発生させると共に、第２煙幕源発生室内に第２煙幕源を発生させる。
第２煙幕源は、煙幕源排出口から室内に排出する。第２煙幕源はガス状であり、煙幕源排出口から室内に排出されて冷却されることで煙幕を生じる。
【００１１】
第１煙幕源発生室内において、第１点火器が作動して第１煙幕源発生剤組成物を着火燃焼させることで高温の第１煙幕源が発生するが、このときの熱により第２煙幕源発生室内の第２煙幕源発生剤組成物が自然着火した場合には、望ましい時間差をおいて２回目の威嚇音と第２煙幕源を発生させることが難しくなる。
このような望ましくない動作を回避するため、第１煙幕源発生室と第２煙幕源発生室は互いに分離されている。
分離方法は特に制限されるものではなく、例えば、ハウジング内に配置したカップ部材や筒部材により２室に分離することができる。
また前記の望ましくない動作がより起こり難くなるようにするため、カップ部材または筒部材の内側および外側の一方または両方の一部または全部を断熱材で覆うこともできる。
【００１２】
自動車に搭載するエアバッグ装置用のガス発生器（２つの点火器を備えたガス発生器）の場合には、２つの点火器の作動時間差は１０〜１００ミリ秒程度である。
しかし、本発明の煙幕発生器では、不法侵入者に対する威嚇効果を高め、犯罪防止効果を高めるため、２つの点火器の作動時間差は１〜１０秒の範囲に調整する。
【発明の効果】
【００１３】
本発明の煙幕発生器は、２回に分けて威嚇音を発生させ、煙幕を発生させることができるため、防犯装置として適している。
【図面の簡単な説明】
【００１４】
【図１】煙幕発生器の軸方向断面図。
【図２】別実施形態の煙幕発生器の軸方向断面図。
【発明を実施するための形態】
【００１５】
＜図１の煙幕発生器＞
本発明の煙幕発生器は、公知のエアバッグ装置用のガス発生器（例えば、特開２０１０−８９２号公報の図１参照）をそのまま、または一部改変して使用することができる。
また図１に示す形状のハウジングを使用したもののほか、シリンダー形状のハウジングを使用したものでもよい。
図１により煙幕発生器１０の実施形態を説明する。
【００１６】
煙幕発生器１０は、第１シェル１２内に第２シェル１３が嵌め込まれた状態で接触部において溶接一体化されたハウジング１１を有している。
第１シェル１２は、天板部１４と第１周壁部１５を有しており、第１周壁部１５は煙幕源排出口１６を有している。煙幕源排出口１６は、防湿のため、内側からシールテープで閉塞されている。
第２シェル１３は、底板部１７と第２周壁部１８を有している。
ハウジングの周壁部は、第１周壁部１５と第２周壁部１８から形成されている。
【００１７】
ハウジング１１内には、第１煙幕源発生室２０と第２煙幕源発生室３０が配置されている。
第１煙幕源発生室２０と第２煙幕源発生室３０は、第２煙幕源発生室３０を形成する第２カップ部材３１により分離されている。
第２カップ部材３１は、開口部側が底板部１７に位置し、閉塞面３２側が天板部１４側に位置するようにして、開口部側が底板部１７に溶接固定されている。
【００１８】
第１煙幕源発生室２０は、ハウジング１１内であり、第２カップ部材３１の外側空間である。
第１煙幕源発生室２０内には、第１カップ部材２１が配置され、内部には第１点火器２２と伝火薬（図示せず）が収容されている。
第１カップ部材２１は、開口部側が底板部１７に位置し、閉塞面２１ａ側が天板部１４側に位置するようにして、開口部側が底板部１７に溶接固定されている。
第１カップ部材２１の周壁２１ｂには、伝火孔２３が形成されている。
第１カップ部材２１の外側には、第１煙幕源発生剤組成物２５が充填されている。
【００１９】
第２カップ部材３１内は、第２煙幕源発生室３０となっており、第２点火器３３と第２煙幕源発生剤組成物３４が収容されている。
第２カップ部材３１の周壁には、第２煙幕源発生剤組成物３４から発生する第２煙幕源の排出口３５が形成されている。
第２煙幕源の排出口３５は、伝火孔２３とは半径方向に正対しない位置に形成されている。排出口３５は、外側からシールテープ（図示せず）でシールされているため、第１煙幕源発生室２０内で発生した高温の第１煙幕源によって、第２煙幕源発生室３０内の第２煙幕源発生剤組成物３４が着火燃焼することはない。
第２カップ部材３１は、内側または外側が断熱材で覆われていてもよい。第２カップ部材３１の内側または外側を断熱材で覆うときは、第１カップ部材２１の伝火孔２３に対して半径方向に正対する部分を覆うことが望ましい。
【００２０】
ハウジング１１内には、筒状フィルタ５０が配置されている。筒状フィルタ５０は、第１周壁部１５と第２周壁部１８との間に間隔をおいて配置されている。
筒状フィルタ５０は、公知のエアバッグ装置のガス発生器で使用されているフィルタと同じものを使用することができるが、前記フィルタよりも嵩密度が小さいものでもよい。
第１カップ部材２１、第２カップ部材３１および筒状フィルタ５０の間には、リテーナ４０が配置されている。
【００２１】
第１煙幕源発生剤組成物２５と第２煙幕源発生剤組成物３４は、燃料と酸化剤を含むもので、燃焼によりアルカリ金属の塩化物、酸化物または炭酸塩を生じさせるものである。
燃料は、ニトロセルロース、ニトログアニジン、硝酸グアニジン、ジシアンジアミド、メラミン、メラミンシアヌレート、5-アミノテトラゾール、5,5'-ビステトラゾール2アンモニウム塩から選ばれるものが好ましい。
【００２２】
酸化剤は、塩素酸カリウム、塩素酸ナトリウム、過塩素酸ストロンチウム、過塩素酸マグネシウム、過塩素酸アンモニウム、過塩素酸カリウム、過塩素酸ナトリウム、硝酸ストロンチウム、硝酸カリウム、硝酸ナトリウムから選ばれるものが好ましい。
酸化剤は、燃料と酸化剤を瞬時に燃焼させて大量のガス（窒素ガスや二酸化炭素を含むガス）を発生させる共に、酸化剤自体が変化することで煙幕源を生じさせるものである。
例えば、塩素酸カリウムや過塩素酸カリウムは塩化カリウムの粉末となって煙幕源となり、硝酸カリウムは、酸化カリウム、炭酸カリウム（ガス中の二酸化炭素と反応する）などの粉末となって煙幕源となる。
【００２３】
さらに燃料と酸化剤に加えて、バインダーを含むこともできる。バインダーは、第１煙幕源発生剤組成物２５と第２煙幕源発生剤組成物３４を所望形状に成形するときに使用する成分であり、グアガム、カルボキシルメチルセルロースナトリウム（ＣＭＣＮａ）、エチルセルロース、ポリビニルピロリドン、ポリアクリルアミド、デンプン、デキストリンから選ばれるものが好ましい。
【００２４】
第１煙幕源発生剤組成物２５と第２煙幕源発生剤組成物３４中の各成分の含有割合は、次のとおりである。
燃料は５０〜７０質量％が好ましく、４５〜６５質量％がより好ましく、
酸化剤は３０〜５０質量％が好ましく、３５〜５５質量％がより好ましい。
バインダーは、燃料と酸化剤の合計１００質量部に対して、５〜５０質量部が好ましく、５〜３０質量部がより好ましい。
【００２５】
第１煙幕源発生剤組成物２５と第２煙幕源発生剤組成物３４は、さらに発煙剤を含んでいてもよい。
発煙剤としては、第１成分のパラフィンワックス、マイクロクリスタリンワックス、ポリエチレングリコールと、第２成分の金属炭酸塩（水和物）、金属水素化物、金属水酸化物から選ばれるものが好ましい。
発煙剤は、第１成分から選ばれるものでもよいし、第２成分から選ばれるものでもよいし、第１成分と第２成分から選ばれるものを組み合わせてもよい。
第１成分は、作動時における熱により気化（状態変化）してガス（煙幕源）となり、前記ガスが冷却されて液滴や、さらに冷却されて粉末となって煙幕となる。気化によって拡散する空間に煙幕を均一濃度に分散させることができるほか、広範囲にわたって拡散させることができる。
第２成分は、作動時における熱により反応（熱分解）して、酸化物（酸化物粉末）と水（水蒸気）（煙幕源）に変化した後、酸化物粉末は飛散することでそのまま煙幕となり、水蒸気は冷却されて液滴となって煙幕となる。そのため煙幕成分が酸化物粉末だけでなく、水蒸気からも供給され、濃度の濃い煙幕を発生させることができる。
【００２６】
発煙剤として第１成分と第２成分から選ばれるものを組み合わせると、異なる煙幕源を発生させることができるため、煙幕の濃度や噴出量を高めることができるので好ましい。
第１成分と第２成分は、それぞれ単独であっても十分な煙幕源を発生させることができるため、第１成分と第２成分を組み合わせて使用する場合でも、それらの割合は特に制限されるものではない。
第１煙幕源発生剤組成物２５と第２煙幕源発生剤組成物３４が発煙剤を含有するときは、発煙剤の含有割合は３０〜７０質量％がより好ましい。
【００２７】
第２煙幕源発生室３０内には、第２点火器３３が作動しないような場合に備えて、望ましくは第１点火器２２が作動してから１０秒を超えた時間が経過したとき、第１煙幕源発生剤組成物２５の燃焼によるハウジング１１内の温度上昇を受けて自然着火できる自然着火材料を配置することができる。
自然着火材料としては、ニトロセルロース系のシングルベース火薬を使用することができる。
【００２８】
＜図１の煙幕発生器の使用方法＞
図１に示す煙幕発生器１０をセンサーなどと組み合わせて防犯装置としたときの使用方法を説明する。
防犯装置は、センサーが屋内への不法侵入者を検知したとき、煙幕発生器１０に指令を送ることで、第１点火器２２と第２点火器３３を作動できるような作動システムを備えているものである。
煙幕発生器１０を防犯装置として使用するときは、底板部１７側が天井面側または壁面側になるようにして、必要に応じてホルダーなどを使用して取り付ける。
また煙幕発生器１０の第１点火器２２と第２点火器３３は、外部電源（バッテリーなども含む）と接続する。
【００２９】
第１カップ２１内の第１点火器２２が作動すると伝火薬が着火燃焼して、伝火孔２３から火炎などが第１煙幕源発生室２０内に放出され、第１煙幕源発生剤組成物２５が着火燃焼する。このとき、１回目の燃焼音（威嚇音）が発生して、不法侵入者を威嚇する。
第１煙幕源発生剤組成物２５の着火燃焼により高温状態の第１煙幕源（ガス）が発生し、フィルタ５０を通過した後、煙幕源排出口１６から屋内に排出される。
屋内に排出された高温状態の第１煙幕源（ガス）は冷却されて煙幕を生成し、前記煙幕が室内に漂うことで不法侵入者の視界が遮られる。
【００３０】
第１点火器２１の作動から１〜１０秒の時間差をおいて第２点火器３３を作動させ、第２煙幕源発生室３０にて第２煙幕源発生剤組成物３４を着火燃焼させる。このとき、２回目の燃焼音（威嚇音）が発生して、再度、不法侵入者を威嚇する。
第２煙幕源発生剤組成物３４の着火燃焼により高温状態の第２煙幕源（ガス）が発生すると、前記第２煙幕源（ガス）は第１煙幕源発生室２０内に流入した後、フィルタ５０を通過し、煙幕源排出口１６から屋内に排出される。
屋内に排出された高温状態の第１煙幕源（ガス）は冷却されて煙幕を生成し、前記煙幕が室内に漂うことで不法侵入者の視界が遮られる。
【００３１】
このようにして時間差をおいて２回に分けて威嚇音を発生させ、煙幕を生成させることができる。このため、不法侵入者に対する威嚇効果を高めることができ、煙幕の持続時間もより長くすることができることから、犯罪行為の抑止効果も向上できる。
また２台の煙幕発生器を併用した場合と比べると安価になるという利点もある。
なお、使用状況によっては、第１点火器２２と第２点火器３３を同時に作動させることで、より大きな威嚇音を１回だけ生じさせると共に、一度に多量の煙幕を生成させるようにすることもできる。
【００３２】
＜図２の煙幕発生器＞
本発明の煙幕発生器は、公知のエアバッグ装置用のガス発生器（例えば、特開２００２−２７４３１４号公報の図１参照）をそのまま、または一部改変して使用することができる。
また図２に示す形状のハウジングを使用したもののほか、シリンダー形状のハウジングを使用したものでもよい。
図２により煙幕発生器の別実施形態を説明する。
【００３３】
煙幕発生器100は、第１シェル112と第２シェル113が互いのフランジ部の接触部において溶接一体化されたハウジング111を有している。
第１シェル11は、天板部114と第１周壁部115を有している。
第１周壁部115は、第１煙幕源発生室120で発生した第１煙幕源を排出するための第１煙幕源排出口116aを有している。第１煙幕源排出口116aは、防湿のため、内側からシールテープで閉塞されている。
第２シェル113は、底板部117と第２周壁部118を有している。
ハウジングの周壁部は、第１周壁部115と第２周壁部118から形成されている。
【００３４】
ハウジング111内には、第１煙幕源発生室120と第２煙幕源発生室130が配置されている。
第１煙幕源発生室120と第２煙幕源発生室130は、第２煙幕源発生室130を形成する筒部材131により分離されている。
筒部材131は、第１開口部が天板部114に溶接固定され、第２開口部が底板部117に溶接固定されている。筒部材131は、内側または外側の一部が断熱材で覆われていてもよい
筒部材131内は、半径方向に配置された板状の第１隔壁145と、軸方向に配置された筒状の第２隔壁146により軸方向及び半径方向に２つの空間に仕切られている。
【００３５】
筒部材131の外側空間が第１煙幕源発生室120となり、筒部材131の内側空間の天板部114側の空間が第２煙幕源発生室130となっている。
筒部材131の底板部117側の板状の第１隔壁145と筒状の第２隔壁146により仕切られた空間内に第１点火器122と第１伝火薬126が収容されている。第１点火器122と第１伝火薬126が収容された空間と第１煙幕源発生室120は、第１伝火孔123で連通されている。
筒部材131の底板部117側の筒状の第２隔壁146により仕切られた空間内に第２点火器133が収容されており、第２煙幕源発生室130内に配置された貫通孔を有する伝火薬カップ137内に伝火薬136が収容されている。
【００３６】
第１煙幕源発生室120内には第１煙幕源発生剤組成物125が充填され、第２煙幕源発生室130内には第２煙幕源発生剤組成物134が充填されている。
第１煙幕源発生室120の外側には、筒状フィルタ150aが配置されている。筒状フィルタ150aは、第２煙幕源排出口116aを有している第１周壁部115と第２周壁部118との間に間隔をおいて配置されている。
筒状フィルタ150aは、第１リテーナ140と第２リテーナ141で支持されている。
第３リテーナ142は、第１煙幕源発生剤組成物125の充填量に応じて第１煙幕源発生室120の容積を調整するためのものである。
【００３７】
第２煙幕源発生室130内の天板部114には、第２煙幕源排出口116bが形成されている。
第２煙幕源排出口116bは、内側からシールテープで閉塞されており、板状フィルタ150bが配置されている。
筒状フィルタ150aと板状フィルタ150bは、いずれも公知のエアバッグ装置のガス発生器で使用されているフィルタと同じものを使用することができるが、前記フィルタよりも嵩密度が小さいものでもよい。
なお、図２の煙幕発生器100は、第２煙幕源排出口116aがなく、第２煙幕源発生室130に面した筒部材131に伝火孔を有している実施形態にすることもできる。
【００３８】
＜図２の煙幕発生器の使用方法＞
図２に示す煙幕発生器100をセンサーなどと組み合わせて防犯装置としたときの使用方法を説明する。
防犯装置は、センサーが屋内への不法侵入者を検知したとき、煙幕発生器１０に指令を送ることで、第１点火器122と第２点火器133を作動できるような作動システムを備えているものである。
煙幕発生器100を防犯装置として使用するときは、底板部117側が天井面側または壁面側になるようにして、必要に応じてホルダーなどを使用して取り付ける。
また煙幕発生器100の第１点火器122と第２点火器133は、外部電源（バッテリーなども含む）と接続する。
【００３９】
第１点火器122が作動すると伝火薬126が着火燃焼して、伝火孔123から火炎などが第１煙幕源発生室120内に放出され、第１煙幕源発生剤組成物125が着火燃焼する。このとき１回目の燃焼音（威嚇音）が発生して、不法侵入者を威嚇する。
第１煙幕源発生剤組成物125の着火燃焼により高温状態の第１煙幕源（ガス）が発生し、フィルタ150aを通過した後、煙幕源排出口116aから屋内に排出される。
屋内に排出された高温状態の第１煙幕源（ガス）は冷却されて煙幕を生成し、前記煙幕が室内に漂うことで不法侵入者の視界が遮られる。
【００４０】
第１点火器121の作動から１〜１０秒の時間差をおいて第２点火器133を作動させ、第２煙幕源発生室130にて第２煙幕源発生剤組成物134を着火燃焼させる。このとき２回目の燃焼音（威嚇音）が発生して、再度、不法侵入者を威嚇する。
第２煙幕源発生剤組成物134の着火燃焼により高温状態の第２煙幕源（ガス）が発生すると、板状フィルタ150bを通過した後、第２煙幕源排出口116bから屋内に排出される。
屋内に排出された高温状態の第１煙幕源（ガス）は冷却されて煙幕を生成し、前記煙幕が室内に漂うことで不法侵入者の視界が遮られる。
【００４１】
図１の煙幕発生器１０では、第２煙幕源発生室３０内で発生した第２煙幕源（ガス）は、一旦、第１煙幕源発生室２０内に流入した後、フィルタ５０を通って、煙幕源排出口１６から排出される。
これに対して、図２の煙幕発生器100では、第２煙幕源発生室130内で発生した第２煙幕源（ガス）は、板状フィルタ150bを通過した後、第２煙幕源排出口116bから屋内に排出されるため、２回目の燃焼音（威嚇音）をより大きくすることができると共に、第２煙幕源排出口116bからの第２煙幕源（ガス）の排出速度も速くなる。
【００４２】
このようにして時間差をおいて２回に分けて威嚇音を発生させ、煙幕を生成させることができる。このため、不法侵入者に対する威嚇効果を高めることができ、また第２煙幕源排出口116bからの第２煙幕源（ガス）の排出により、その排出による煙幕効果のみならず、第１煙幕源（ガス）を再度空間中で攪拌・拡散することで煙幕の持続時間もより長くすることができることから、犯罪行為の抑止効果も向上できる。
また２台の煙幕発生器を併用した場合と比べると安価になるという利点もある。
なお、使用状況によっては、第１点火器122と第２点火器133を同時に作動させることで、より大きな威嚇音を１回だけ生じさせると共に、一度に多量の煙幕を生成させるようにすることもできる。
【符号の説明】
【００４３】
１０  煙幕発生器
１１  ハウジング
１６  煙幕源排出口
２０  第１煙幕源発生室
２２  第１点火器
２５  第１煙幕源発生剤組成物
３０  第２煙幕源発生室
２３  第２点火器
３４  第２煙幕源発生剤組成物
５０  フィルタ
【図１】
2015232864.tif 000003
【図２】
2015232864.tif 000004